【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
データ処理装置とサーバとを含むデータ処理システムであって、
前記データ処理装置は、
コンテンツデータを格納するコンテンツデータ格納手段と、
前記コンテンツデータを入力して当該コンテンツデータを前記コンテンツデータ格納手段に格納する入力ジョブ、及び、前記コンテンツデータ格納手段に格納された前記コンテンツデータを出力する出力ジョブを実行するジョブ実行手段と、
前記入力ジョブの履歴情報として前記サーバに前記コンテンツデータを送信し、前記出力ジョブの履歴情報として前記サーバに前記コンテンツデータを送信することなく前記コンテンツデータを参照するための参照情報を送信する送信手段と、を有し、
前記サーバは、
前記送信手段によって送信された前記コンテンツデータを前記入力ジョブの履歴情報として格納し、前記送信手段によって送信された前記参照情報を前記出力ジョブの履歴情報として格納するジョブ履歴格納手段と、
前記ジョブ履歴格納手段に格納された前記コンテンツデータに対応するコンテンツデータが前記コンテンツデータ格納手段に存在するか否かを判定する判定手段と、
前記判定手段によって前記ジョブ履歴格納手段に格納された前記コンテンツデータに対応するコンテンツデータが前記コンテンツデータ格納手段に存在しないと判定された場合に、前記コンテンツデータを前記ジョブ履歴格納手段から削除する削除手段と、
前記判定手段によって前記ジョブ履歴格納手段に格納された前記コンテンツデータに対応するコンテンツデータが前記コンテンツデータ格納手段に存在すると判定された場合に、前記ジョブ履歴格納手段から前記コンテンツデータを削除しないよう制御する制御手段と、
を有することを特徴とするデータ処理システム。
【請求項２】
前記判定手段は、前記コンテンツデータに対応するコンテンツデータが前記データ処理装置で削除されたことを示す情報に基づいて、前記ジョブ履歴格納手段に格納された前記コンテンツデータに対応するコンテンツデータが前記コンテンツデータ格納手段に存在するか否かを判定することを特徴とする請求項１に記載のデータ処理システム。
【請求項３】
前記サーバは、前記ジョブ履歴格納手段に格納された前記コンテンツデータに対応するコンテンツデータが削除されたかを前記データ処理装置に問い合わせる問合せ手段をさらに有し、
前記判定手段は、前記問合せ手段による問合せの応答に基づいて、前記ジョブ履歴格納手段に格納された前記コンテンツデータに対応するコンテンツデータが前記コンテンツデータ格納手段に存在するか否かを判定することを特徴とする請求項１又は２に記載のデータ処理システム。
【請求項４】
前記コンテンツデータは、画像データまたはテキストデータを含むことを特徴とする請求項１乃至３のいずれか１項に記載のデータ処理システム。
【請求項５】
前記削除手段は、前記コンテンツデータ格納手段に格納された前記コンテンツデータの格納期限に基づいて、前記ジョブ履歴格納手段から前記コンテンツデータを削除することを特徴とする請求項１乃至４のいずれか１項に記載のデータ処理システム。
【請求項６】
コンテンツデータを格納するコンテンツデータ格納手段を有し、前記コンテンツデータを入力して前記コンテンツデータ格納手段に格納する入力ジョブの履歴情報として前記コンテンツデータを生成し、前記コンテンツデータ格納手段に格納された前記コンテンツデータを出力する出力ジョブの履歴情報として前記コンテンツデータを参照するための参照情報を生成するデータ処理装置と通信可能なサーバであって、
前記コンテンツデータを前記入力ジョブの履歴情報として格納し、前記参照情報を前記出力ジョブの履歴情報として格納するジョブ履歴格納手段と、
前記ジョブ履歴格納手段に格納された前記コンテンツデータに対応するコンテンツデータが前記コンテンツデータ格納手段に存在するか否かを判定する判定手段と、
前記判定手段によって前記ジョブ履歴格納手段に格納された前記コンテンツデータに対応するコンテンツデータが前記コンテンツデータ格納手段に存在しないと判定された場合に、前記コンテンツデータを前記ジョブ履歴格納手段から削除する削除手段と、
前記判定手段によって前記ジョブ履歴格納手段に格納された前記コンテンツデータに対応するコンテンツデータが前記コンテンツデータ格納手段に存在すると判定された場合に、前記ジョブ履歴格納手段から前記コンテンツデータを削除しないよう制御する制御手段と、
を有することを特徴とするサーバ。
【請求項７】
前記判定手段は、前記コンテンツデータに対応するコンテンツデータが前記データ処理装置で削除されたことを示す情報に基づいて、前記ジョブ履歴格納手段に格納された前記コンテンツデータに対応するコンテンツデータが前記コンテンツデータ格納手段に存在するか否かを判定することを特徴とする請求項６に記載のサーバ。
【請求項８】
前記サーバは、前記ジョブ履歴格納手段に格納された前記コンテンツデータに対応するコンテンツデータが削除されたかを前記データ処理装置に問い合わせる問合せ手段をさらに有し、
前記判定手段は、前記問合せ手段による問合せの応答に基づいて、前記ジョブ履歴格納手段に格納された前記コンテンツデータに対応するコンテンツデータが前記コンテンツデータ格納手段に存在するか否かを判定することを特徴とする請求項６又は７に記載のサーバ。
【請求項９】
前記コンテンツデータは、画像データまたはテキストデータを含むことを特徴とする請求項６乃至８のいずれか１項に記載のサーバ。
【請求項１０】
前記削除手段は、前記コンテンツデータ格納手段に格納された前記コンテンツデータの格納期限に基づいて、前記ジョブ履歴格納手段から前記コンテンツデータを削除することを特徴とする請求項６乃至９のいずれか１項に記載のサーバ。
【請求項１１】
コンテンツデータを格納するコンテンツデータ格納手段を有するデータ処理装置と通信可能なサーバの制御方法であって、
前記データ処理装置が前記コンテンツデータを入力して前記コンテンツデータ格納手段に格納する入力ジョブの履歴情報として前記コンテンツデータをジョブ履歴格納手段に格納し、前記コンテンツデータ格納手段に格納された前記コンテンツデータを出力する出力ジョブの履歴情報として前記コンテンツデータを参照するための参照情報を前記ジョブ履歴格納手段に格納するジョブ履歴格納工程と、
前記ジョブ履歴格納手段に格納された前記コンテンツデータに対応するコンテンツデータが前記コンテンツデータ格納手段に存在するか否かを判定する判定工程と、
前記判定工程で前記ジョブ履歴格納手段に格納された前記コンテンツデータに対応するコンテンツデータが前記コンテンツデータ格納手段に存在しないと判定された場合に、前記コンテンツデータを前記ジョブ履歴格納手段から削除する削除工程と、
前記判定工程で前記ジョブ履歴格納手段に格納された前記コンテンツデータに対応するコンテンツデータが前記コンテンツデータ格納手段に存在すると判定された場合に、前記ジョブ履歴格納手段から前記コンテンツデータを削除しないよう制御する制御工程と、
を有することを特徴とするサーバの制御方法。
【請求項１２】
コンテンツデータを格納するコンテンツデータ格納手段を有するデータ処理装置と通信可能なサーバの制御方法を、コンピュータに実行させるためのプログラムであって、
前記データ処理装置が前記コンテンツデータを入力して前記コンテンツデータ格納手段に格納する入力ジョブの履歴情報として前記コンテンツデータをジョブ履歴格納手段に格納し、前記コンテンツデータ格納手段に格納された前記コンテンツデータを出力する出力ジョブの履歴情報として前記コンテンツデータを参照するための参照情報を前記ジョブ履歴格納手段に格納するジョブ履歴格納工程と、
前記ジョブ履歴格納手段に格納された前記コンテンツデータに対応するコンテンツデータが前記コンテンツデータ格納手段に存在するか否かを判定する判定工程と、
前記判定工程で前記ジョブ履歴格納手段に格納された前記コンテンツデータに対応するコンテンツデータが前記コンテンツデータ格納手段に存在しないと判定された場合に、前記コンテンツデータを前記ジョブ履歴格納手段から削除する削除工程と、
前記判定工程で前記ジョブ履歴格納手段に格納された前記コンテンツデータに対応するコンテンツデータが前記コンテンツデータ格納手段に存在すると判定された場合に、前記ジョブ履歴格納手段から前記コンテンツデータを削除しないよう制御する制御工程と、
を、前記コンピュータに実行させるためのプログラム。
【手続補正２】
【補正対象書類名】明細書
【補正対象項目名】発明の名称
【補正方法】変更
【補正の内容】
【発明の名称】データ処理システム、サーバ、サーバの制御方法、及びプログラム
【手続補正３】
【補正対象書類名】明細書
【補正対象項目名】０００１
【補正方法】変更
【補正の内容】
【０００１】
本発明は、データ処理システム、サーバ、サーバの制御方法、及びプログラムに関するものである。
【手続補正４】
【補正対象書類名】明細書
【補正対象項目名】００１２
【補正方法】変更
【補正の内容】
【００１２】
本発明の特徴は、データ処理装置でコンテンツデータを出力する出力ジョブが実行されたときに、当該出力ジョブの履歴情報としてサーバに送信される参照情報で参照すべきコンテンツデータが削除されてしまうことを防ぐことにある。
【手続補正５】
【補正対象書類名】明細書
【補正対象項目名】００１３
【補正方法】変更
【補正の内容】
【００１３】
上記目的を達成するために本発明の一態様に係るデータ処理システムは以下のような構成を備える。即ち、
データ処理装置とサーバとを含むデータ処理システムであって、
前記データ処理装置は、
コンテンツデータを格納するコンテンツデータ格納手段と、
前記コンテンツデータを入力して当該コンテンツデータを前記コンテンツデータ格納手段に格納する入力ジョブ、及び、前記コンテンツデータ格納手段に格納された前記コンテンツデータを出力する出力ジョブを実行するジョブ実行手段と、
前記入力ジョブの履歴情報として前記サーバに前記コンテンツデータを送信し、前記出力ジョブの履歴情報として前記サーバに前記コンテンツデータを送信することなく前記コンテンツデータを参照するための参照情報を送信する送信手段と、を有し、
前記サーバは、
前記送信手段によって送信された前記コンテンツデータを前記入力ジョブの履歴情報として格納し、前記送信手段によって送信された前記参照情報を前記出力ジョブの履歴情報として格納するジョブ履歴格納手段と、
前記ジョブ履歴格納手段に格納された前記コンテンツデータに対応するコンテンツデータが前記コンテンツデータ格納手段に存在するか否かを判定する判定手段と、
前記判定手段によって前記ジョブ履歴格納手段に格納された前記コンテンツデータに対応するコンテンツデータが前記コンテンツデータ格納手段に存在しないと判定された場合に、前記コンテンツデータを前記ジョブ履歴格納手段から削除する削除手段と、
前記判定手段によって前記ジョブ履歴格納手段に格納された前記コンテンツデータに対応するコンテンツデータが前記コンテンツデータ格納手段に存在すると判定された場合に、前記ジョブ履歴格納手段から前記コンテンツデータを削除しないよう制御する制御手段と、を有することを特徴とする。
【手続補正６】
【補正対象書類名】明細書
【補正対象項目名】００１４
【補正方法】変更
【補正の内容】
【００１４】
本発明によれば、データ処理装置でコンテンツデータを出力する出力ジョブが実行されたときに、当該出力ジョブの履歴情報としてサーバに送信される参照情報で参照すべきコンテンツデータが削除されてしまうことを防ぐことができる。